【事件の表示】
　特願２００１−２８９３００「ＩＣカード用コネクタ」拒絶査定不服審判事件〔平成１５年　４月　４日出願公開、特開２００３−１００３６９〕について、次のとおり審決する。
【結　論】
　本件審判の請求は、成り立たない。
【理　由】
第１　手続の経緯
　本件審判請求に係る出願（以下、「本願」という。）は、平成１３年９月２１日の出願であって、平成１７年９月２６日付けで拒絶査定（発送日：平成１７年１０月４日）がなされ、これに対し、平成１７年１１月２日に拒絶査定不服審判が請求され、同年１２月２日付けで手続補正がなされたものである。
　
第２　平成１７年１２月２日付け手続補正について
［結論］
　平成１７年１２月２日付けの手続補正を却下する。
［理由］
　平成１７年１２月２日付け手続補正（以下、「本件補正」という。）により、特許請求の範囲の請求項１は、
　「ＩＣカードをコネクタハウジングの挿入孔に差込んでＩＣカードの電極と挿入孔内のコンタクトを接続するようにしたＩＣカード用コネクタにおいて、前記挿入孔は、長さ、幅、電極のピッチ間隔が略同じで、電極数が異なる第１、第２のＩＣカードの挿入口と、前記第１、第２のＩＣカードよりも幅が狭く、長さが長く、厚さが厚い第３のＩＣカードの挿入口とを、幅と厚さの重合部分を共有し、異なる部分を幅方向と厚さ方向に延長して形成し、前記第１、第２、第３のＩＣカード用コンタクトを、前記コネクタハウジング内の同一面に設け、かつ、これらのうち第１、第２のＩＣカード用コンタクトを、前記第１、第２、第３のＩＣカード用挿入孔の途中の第１、第２のＩＣカード用ストッパより手前
のハウジングの下面の略中央から奥行き方向に斜めに突出させて
、第１、第２、第３のＩＣカード用挿入孔の途中の第１、第２のＩＣカード用ストッパより後方に、挿入された第３のＩＣカードを第１、第２のＩＣカード用コンタクトから離れる方向に案内する案内部を設けた
と補正された（以下、「本件補正発明」という。下線部は補正箇所を示す。）。
　本件補正は、補正前の請求項１に「第１、第２、第３のＩＣカード用挿入孔の途中の第１、第２のＩＣカード用ストッパより後方に、挿入された第３のＩＣカードを第１、第２のＩＣカード用コンタクトから離れる方向に案内する案内部を設けた」点を追加することを含むものであるので、この発明特定事項について、検討する。
　
１．新規事項に関して
　前記発明特定事項に係る「案内部」について、願書に最初に添付した明細書（以下、「当初明細書」という。）には、請求人が、補正の根拠として挙げる段落【００１０】に「前記挿入口５の内部であって、コンタクト７の両側に位置して第３のＩＣカード３１の挿入を案内する案内部１３が形成されている。」と、同じく段落【００１５】に「第３のＩＣカード３１は、図７（ａ）（ｂ）（ｃ）に示すように、第１の挿入孔２に、第３のＩＣカード３１の電極２４が下を向く状態で挿入する。…(略)…。第１の挿入孔２内の中間程度の位置にある第１、第２のＩＣカード用のコンタクト６は、奥行き方向に向かって斜めに突出しているため、第３のＩＣカード３１の先端は、コンタクト６によって進路を誘導される。また、コンタクト６は、弾性を持っているため、第３のＩＣカード３１が挿入されてくると、後方に反りながら逃げる構造となっており、挿入の邪魔にはならない。…(略)…。その後、案内部１３に案内され、第３のＩＣカード３１の厚さに合った高さで安定して挿入される。第３のＩＣカード３１の先端が、第１の挿入孔２の奥に届いた時点で、ロックばね１１が溝２５に嵌り、安定する。」と記載されるだけである。
　即ち、案内部に関して、単に、第３のカードを案内する、と記載されるだけであって、「コンタクトから離れる方向に案内する」ことは記載されていない。
　さらに、願書に最初に添付した図面（以下、「当初図面」という。）の図１、４、７等も参酌して検討する。
　当初図面の図７(ｂ)(ｃ)、及び、段落【００１５】の「第１の挿入孔２内の中間程度の位置にある第１、第２のＩＣカード用のコンタクト６は、奥行き方向に向かって斜めに突出しているため、第３のＩＣカード３１の先端は、コンタクト６によって進路を誘導される。また、コンタクト６は、弾性を持っているため、第３のＩＣカード３１が挿入されてくると、後方に反りながら逃げる構造となっており、挿入の邪魔にはならない。」なる記載によれば、第１の挿入孔２に挿入された第３のＩＣカード３１は、奥行き方向に向かって斜めに突出している、第１、第２のＩＣカード用のコンタクト６に誘導されるが、その際、コンタクト６は、コンタクト６自体の弾性により、後方に反りながら逃げる構造となっているため、カード３１の邪魔にはならないものである。
　即ち、第３のＩＣカード３１が案内部１３に案内された状態（ＩＣカード３１が案内部１３上に載置された状態：図７(ｂ)(ｃ)参照）では、コンタクト６の斜めに突出する頂部（図４において番号６で指示される箇所の図面右側）は、コンタクト６自体の弾性により、第３のＩＣカード３１の裏面に接触していることは明らかであり、又、案内部の上面は、図４によれば、水平な平面（番号１３で指示される横長の水平部材参照）であるから、コンタクト６が、第３のＩＣカード３１から離れない（常に接触している）ことは明らかである。
　してみると、当初明細書又は当初図面には、「第３のＩＣカードを第１、第２のＩＣカード用コンタクトから離れる方向に案内する案内部を設けた」点は記載されておらず、又、その点が、当初明細書又は当初図面の記載から自明の事項であるとも認められない。
　したがって、本件補正は、当初明細書又は当初図面に記載した事項の範囲内においてしたものとは認められないから、特許法第１７条の２第３項の規定に違反する。
　
２．独立特許要件に関して
　仮に、本件補正が、当初明細書又は当初図面に記載した事項の範囲内においてなされたものであるとすると、本件補正は、「ＩＣカード用コネクタ」について、該「ＩＣカード用コネクタ」が、「第３のＩＣカードを案内する案内部を設けた」ことを限定するものであるから、特許請求の範囲の減縮を目的とするものであり、平成１４年法律第２４号改正附則第２条第１項によりなお従前の例によるとされる同法による改正前の特許法第１７条の２第４項第２号に該当する。
　そこで、独立特許要件について検討する。
　(１)上記１．に記載したとおり、コンタクト６は、第３のＩＣカード３１が案内部１３により案内されている状態では、常に、カード３１の裏面に接触しているから、「コンタクト６から離れる方向」とは、図７(ｃ)における「左方向」になり、上記特定事項は、案内部１３が、ＩＣカード３１を図面左方向に案内することを特定するものである。
　しかしながら、案内部１３は、図４、７等によれば、横長の水平部材であり（例えば、奥行き方向に斜めに傾斜するものではない。）、又、発明の詳細な説明には、案内部１３について、第３のカード３１を案内する、と記載されているだけである（上記１．参照）。
　してみると、本願明細書の「発明の詳細な説明」には、「案内部」に関して、本願発明の実施をすることができる程度に明確かつ十分に記載されていない。
　したがって、本願は、特許法第３６条第４項に規定する要件を満たしていない。
　(２)他方、「コンタクト６から離れる方向」が、図７(ｃ)における「左方向」ではなく、別の方向である場合を勘案すると、ＩＣカード３１が、コネクタから抜かれる（図７(ｃ)において、カード３１が下方に移動する）ことにより、コンタクトから離れる場合が想定できる。
　しかしながら、案内部はコンタクトの後方（図７(ｃ)における上方）に設けられているものであるから、ＩＣカード３１が前方に抜かれるときの案内とはならないことは明らかである。
　してみると、「コンタクト６から離れる方向に案内する案内部」は、意味不明な特定事項であるから、結局、そのような特定事項により特定されている本願発明は明確でない。
　したがって、本願は、特許法第３６条第６項第２号に規定する要件を満たしていない。
　(３)以上のとおりであるから、本件補正発明は、特許出願の際独立して特許を受けることができないものである。
　
３．まとめ
　したがって、本件補正は、特許法第１７条の２第３項の規定に違反するもの、或いは、平成１８年法律第５５号改正附則第３条第１項によりなお従前の例によるとされる同法による改正前の特許法第１７条の２第５項において準用する同法第１２６条第５項の規定に違反するので、同法第１５９条第１項の規定で読み替えて準用する同法第５３条第１項の規定により却下すべきものである。
　
第３　本願発明について
１．本願発明
　本件補正は上記のとおり却下されたので、本願の請求項１に係る発明（以下、「本願発明」という。）は、平成１６年２月２日付け手続補正書の特許請求の範囲の請求項１に記載された事項により特定される次のとおりのものである。
　「ＩＣカードをコネクタハウジングの挿入孔に差込んでＩＣカードの電極と挿入孔内のコンタクトを接続するようにしたＩＣカード用コネクタにおいて、前記挿入孔は、長さ、幅、電極のピッチ間隔が略同じで、電極数が異なる第１、第２のＩＣカードの挿入口と、前記第１、第２のＩＣカードよりも幅が狭く、長さが長く、厚さが厚い第３のＩＣカードの挿入口とを、幅と厚さの重合部分を共有し、異なる部分を幅方向と厚さ方向に延長して形成し、前記第１、第２、第３のＩＣカード用コンタクトを、前記コネクタハウジング内の同一面に設け、かつ、これらのうち第１、第２のＩＣカード用コンタクトを、前記第１、第２、第３のＩＣカード用挿入孔の途中の第１、第２のＩＣカード用ストッパより手前に設け、前記第３のＩＣカード用コンタクトを、前記ストッパより後方に設け、前記第１、第２のＩＣカード用コンタクトの接触部分の位置を、前記第３のＩＣカードの挿入の妨げとならない高さにずらして形成したことを特徴とするＩＣカード用コネクタ。」
　
２．引用例及びその記載事項
　(１)原査定の拒絶の理由に引用された登録実用新案第３０７９２６３号公報（以下、「引用例１」という。）には、図面と共に次の事項が記載されている。
　Ａ．「【考案の属する技術分野】この考案はメモリカードホルダ装置に関し、サイズやタイプの異なる複数種のメモリカードを使用できるメモリカードホルダ装置に関する。」（【０００１】）
　Ｂ．「本考案は、これらの事情に鑑みてなされたものであり、装置全体をあまり大きくすることなく、サイズやタイプの異なる複数種のメモリカードを収納できるメモリカードホルダ装置を提供することを目的としている。」（【０００９】）
　Ｃ．「図１乃至図６はこの考案に係るメモリカードホルダ装置の第１の実施の形態を示し、図１はメモリカードホルダ装置の分解斜視図、図２は図１のメモリカードホルダ装置を組み立てた時の斜視図、図３はベースにスマートメディアカードを挿入した時の斜視図、図４は図１のベースにメモリスティックカードを挿入した時の斜視図、図５は図１のベースにマルチメディアカードを挿入した時の斜視図、図６は図１のベースにスマートメディアカードのメディアカードを挿入した時の横断面図である。」（【００１３】）
　Ｄ．「図１及び図２に示すように、メモリカードホルダ装置１は、メモリカードを収納して、このメモリカードの接点と電気的に接続するものであり、外形が前記メモリカードの挿入方向の一側面から水平方向に沿ってもう一つの側面へ延びるプレート形状に形成されるとともに、空間を交互に重ねる形状により複数種のサイズが異なるメモリカードを収納することができるスロット１３，１４，１５を形成したプレート型ベース１０と、接触パーツ２０１，２１２，２３１を有し、前記プレート型ベース１０の上下の面にそれぞれ固定された上下の基板２０，３０と、を具備し、前記プレート型ベース１０上のスロット１３，１４，１５に前記複数種のメモリカードのいずれかを収納した場合に、前記上下の基板２０，３０のいずれかの接触パーツ２０１，２１２，２３１が前記メモリカードの接点に電気的に接続するようになっている。」（【００１４】）
　Ｅ．「さらに詳細に説明すると、プレート型ベース１０は、側面１１がオープン式で、メモリカードをここから挿入することができ、この開いている側面１１はもう一側面１２の方向に延びて、複数個のさまざまなタイプとサイズのメモリカードを収納することができるスロット１３，１４，１５が設けられている。」（【００１５】）
　Ｆ．「基板２０，３０は、上下対称に設置されており、上述したベース１０のプレート面の上に複数の接触パーツが溶接され、それは第１組接触パーツ２１１，第２組接触パーツ２１２，第３組接触パーツ３１１を含んで、さまざまなタイプのメモリカードはこの実施の形態のメモリカードホルダ装置１に挿入された後、これら接触パーツと電気的に接続し、信号を伝送させる。」（【００１６】）
　Ｇ．「図１に示したベース１０と２つの回路板２０，３０を定位栓４０により相互に組み立てると、図２に示すような状態となる。この図から明らかなように、ベース１０を２つの上下基板２０，３０で覆うと、元々ベース１０上に設計されていたスロット１３，１４，１５は自然にそれぞれが違うタイプのメモリカードを収納することができる空間となる。」（【００１８】）
　Ｈ．「図４に示すように、メモリスティックカード５２をベース１０に差し込んだ状態では、ベース１０上のメモリスティックカード５２のタイプとだいたい同じスロット１４を用いている。このスロット１４は明らかに前述のスマートメディアカード５１のスロット１３と一部分が重なっている。このようなベース１０上の空間変化により、お互いの位置を重ねる方法でスロット１３，１４がそれぞれ占める空間を少なくして、１つのメモリカードホルダ装置１で２、３種類の異なるタイプのメモリカードを挿入して使用する目的を達成する。このほか、このメモリスティックカード５２の表面には１組の接点５２１が設けられており、接点５２１はベースのスロット１４後と上基板２０上の第１組接触端子２１１に配置されて電気的に接続される。」（【００２０】）
　Ｉ．「同様に、図５に示すのは、マルチメディアカード５３をベース１０に挿入している状態で、この種のカードは体積がさらに小さいためそれを収納するカードスロット１５は、ちょうどメモリスティックカード５２のスロット１４の前半段に設計され、またそのカードはメモリスティックカード５２より少し広いため、スロット１４の前半段の両側面は外側の広さに合わせて段差部分１５１を形成する。これはマルチメディアカード５３両側の凹段差部分５３２に対応してお互いに接触して定位する。またマルチメディアカード５３の表面上にも１組の接点５３１を設けて、この１組の接点５３１によりマルチメディアカード５３をメモリカードホルダ装置に挿入して定位させた後、上回路プレート２０の第２組接触端子２１２と電気的に接続させる。」（【００２１】）
　
　(２)同じく、原査定の拒絶の理由に引用された特開２００１−２２３０４４号公報（以下、「引用例２」という。）には、図面と共に次の事項が記載されている。
　Ｊ．「【発明の属する技術分野】この発明は、携帯電話機、電話機、ＰＤＡ (personal digital assistance)、携帯型オーディオ、カメラ等の電子機器に取り付けられるカードコネクタに関し、さらに詳しくは外形、コンタクトパッド位置の異なる少なくとも２種類の異なるカードを小さな占有スペースをもって好適に装填させることができるカードコネクタに関する。」（【０００１】）
　Ｋ．「この発明はこのような事情を考慮してなされたもので、外形、コンタクトパッド位置の異なる二種類以上の異なるカードを小さな占有スペースをもって同一のスロットから装脱できるカードコネクタを提供することを解決課題とする。」（【０００８】）
　Ｌ．「図１において、厚型一段カード１０は、所定の厚みｔのカード本体１１を有しており、その右先端部には誤挿入防止のための面取り部（切欠き）１２を有している。カード本体１１の底面の先端側には、カード内部のＩＣ回路に接続される複数のコンタクトパッド１３が配されている。」（【００１７】）
　Ｍ．「図２は、厚型二段カード２０の例としてのＳＤカードを裏面から見た外観を示している。この厚型二段カード２０の平面形状および平面サイズは、図１の厚型一段カード１０とほぼ同じである。」（【００１８】）
　Ｎ．「この厚型二段カード２０は、厚型一段カード１０のカード本体１１とほぼ同じ厚さｔの上側本体部２１を有している。上側本体部２１の右先端部には誤挿入防止のための面取り部２２を有している。上側本体部２１の裏面側には、上側本体部２１より僅かに幅が狭い下側本体部２３が形成されている。すなわち、このカード２０は、両側端部に上側本体部２１の底面および下側本体部２３の底面による段差２７がカード側端に沿って形成された二段構造となっている。下側本体部２３の先端側には複数の凹部２４が形成されており、これらの凹部２４の底面に接触パッド２５が配設されている。」（【００１９】）
　Ｏ．「このカードコネクタ１は、樹脂材料などの絶縁体によって成形加工されたコネクタハウジング２を有している。コネクタハウジング２は、上板３、下板４、側面板５、後面板６、前面板７によって形成されている。図４に示すように、ハウジング上板３には、厚型一段カード１０及び厚型二段カード２０の装填時、これらカード用のコンタクト端子の先端を弾性変形の際に上方に逃がすための逃げ孔４０が複数個形成されている。」（【００２５】）
　Ｐ．「コネクタハウジング２の前面板７には、先に示した三種類のカード１０，２０，３０をコネクタ内に装填するための共用かつ単一のカードスロット（挿入口）８を有している。」（【００２６】）
　Ｑ．「カードスロット８は、厚型一段カード１０及び厚型二段カード２０用のスロット領域８ａと、薄型カード３０用のスロット領域８ｂを有している（図７，図９，図１０参照）。これらスロット領域８ａおよび８ｂのうち、スロット領域８ａの下側領域は、全てのカードで共用されている。」（【００２７】）
　Ｒ．「図５および図１０に示すように、スロット８ａに続くハウジング奥方に、厚型一段カード１０及び厚型二段カード２０用の第１カード収容部９が形成されている。また、図６および図１１に示すように、スロット８ｂに続くハウジング奥方に、薄型カード３０用の第２カード収容部１９が形成されている。」（【００２８】）
　Ｓ．「図５に示すように、ハウジング上板３の内壁面には、片持ち状の接触バネ片で構成された複数のコンタクト端子５０を位置決めして圧入するための複数の溝４１が形成されている。」（【００３０】）
　Ｔ．「各コンタクト端子５０は、電子機器のプリント配線基板のコンタクトパッドに半田接続される端子部５０ａ、溝４１内で固定させるための固定部５０ｂ、弾性的に変位してカード１０または２０のコンタクトパッドと当接する接触ばね片部５０ｃ、下方に突出した接点部５０ｄを有している（図１０参照）。」（【００３１】）
　Ｕ．「第１カード収容部９には、挿入された厚型一段カード１０及び厚型二段カード２０を突き当てる突き当て壁４３が形成され、かつこの突き当て壁４３の一方の角部には、カード１０，２０の面取り部１２，２２を突き当てるべく突出されたコーナ壁５３が形成されている。」（【００３３】）
　Ｖ．「したがって、このコネクタ構造によれば、いずれのカード１０，２０が挿入されたときでも、接触パッド１２，２５がコネクタ１のコンタクト端子５０の接点部５０ｄまでの距離が同じになるので、コンタクト端子５０はどちらのカード１０，２０によっても同じ弾性変位量が与えられることになり、両カード１０，２０について安定した接触信頼性を得ることができるようになる。」（【００４３】）
　Ｗ．「したがってこの第１実施形態では、外形、コンタクトパッド位置の異なる三種類のカードを同一のスロットから装脱できるようになり、これによりカードコネクタの占有スペースを小さくすることができ、各種電子機器の小型化に寄与することができる。」（【００５３】）
　Ｘ．「この第２実施形態においては、厚型カード１０，２０用のコンタクト端子７０と薄型カード用のコンタクト端子７５との双方を、コネクタハウジング８０の上下面のうちの一方の面（この場合は下板８１側）に、位置をずらせて配置している。」（【００５９】）
　　
３．引用例に記載された発明
　(１)上記事項及び図面の記載からみて、引用例１には、次のような発明が記載されている（以下、「引用例１記載の発明」という。）。
　メモリカードを、ベース１０と上下の基板２０，３０とで形成された薄型箱体のスロットに差込んで、各メモリカードの接点と、スロット内の接触パーツとを接続するようにしたメモリカードホルダ装置において、
　マルチメディアカード５３の挿入口であるスロット１５と、該マルチメディアカード５３よりも幅が狭く、長さが長いメモリスティックカード５２の挿入口であるスロット１４とを、幅と厚さの重合部分を共有し、異なる部分を延長して形成し、前記マルチメディアカード５３とメモリスティックカード５２用の接触パーツ２１２，２１１を、メモリカードホルダ装置の基板２０上に設け、かつ、マルチメディアカード５３の接触パーツ２１２をスロットの手前に、メモリスティックカード５２の接触パーツ２１１をスロットの後方に設けたメモリカードホルダ装置。
　
　(２)上記記載事項Ｌ、Ｍ、Ｖによれば、厚型一段カード１０と厚型二段カード２０とは、長さ、幅、電極のピッチが略同じものであるところ、その電極数については、明記されていない。
　しかしながら、図１、２、５の記載からみて、厚型二段カード２０の電極の数は、厚型一段カード１０のそれより一つ少ないことは明らかである（図２のメントリブ２２近傍のコンタクトパッド、及び、図５のコーナ壁５３近傍のコンタクト端子参照）。
　又、上記他の記載事項及び図面等からみて、引用例２には、次の発明が記載されている（以下、引用例２記載の発明」という。）
　メモリなどのＩＣが内蔵されたカードをコネクタハウジングのカード収容部に差込んでカードのコンタクトパッドとカード収容部内のコンタクト端子を接続するようにしたカードコネクタにおいて、
　カード収容部９のカードスロット８ａに、長さ、幅、電極のピッチ間隔が略同じで、電極数が異なる、厚型一段カード１０と厚型二段カード２０とを挿入するカードコネクタ。
　
４．対比
　本願発明と引用例１記載の発明とを対比する。
　引用例１記載の発明の「メモリカード」は、その機能等からみて、本願発明の「ＩＣカード」に相当し、同様に、「ベース１０と上下の基板２０，３０からなる薄型箱体」は「コネクタハウジング」に、「スロット」は「挿入孔」に、「メモリカードの接点」は「ＩＣカードの電極」に、「マルチメディアカード５３」は「第１のＩＣカード」に、「メモリスティックカード５２」は「第３のＩＣカード」に、「接触パーツ２１２」は「第１のＩＣカード用コンタクト」に、「接触パーツ２１１」は「第３のＩＣカード用コンタクト」に、「メモリカードホルダ装置」は「ＩＣカード用コネクタ」に、それぞれ、相当する。
　又、引用例１記載の発明において、接触パーツ２１１，２１２は、どちらも基板２０に、即ち、同一面に設けられている。
　ところで、引用例１記載の発明においては、第１のＩＣカードに相当する「マルチメディアカード５３」は、スロット１５の側部に設けられた段差部分１５１（「マルチメディアカード５３」の凹段差部分５３２が対応する部分）の後端に突き当たることにより、それ以上の挿入が阻止されるから、この段差部分の後端が「マルチメディアカード５３」の「ストッパ」となっていることは明らかであり、図１等も参酌すると、「マルチメディアカード５３」の「接触パーツ２１２」はストッパ（段差部分の後端）より手前に、又、「メモリスティックカード５２」の「接触パーツ２１１」はストッパより後方に設けられている。
　してみると、上記両発明は、次の一致点と相違点を有するものである。
【一致点】
　ＩＣカードをコネクタハウジングの挿入孔に差込んでＩＣカードの電極と挿入孔内のコンタクトを接続するようにしたＩＣカード用コネクタにおいて、前記挿入孔は、第１のＩＣカードの挿入口と、前記第１のＩＣカードよりも幅が狭く、長さが長い第３のＩＣカードの挿入口とを、幅と厚さの重合部分を共有し、異なる部分を延長して形成し、前記第１、第３のＩＣカード用コンタクトを、前記コネクタハウジング内の同一面に設け、かつ、これらのうち第１のＩＣカード用コンタクトを、前記第１、第３のＩＣカード用挿入孔の途中の第１のＩＣカード用ストッパより手前に設け、前記第３のＩＣカード用コンタクトを、前記ストッパより後方に設けたことを特徴とするＩＣカード用コネクタ。
【相違点１】
　本願発明では、挿入口に、第１のＩＣカードと、長さ、幅、電極のピッチ間隔が略同じで、電極数が異なる第２のＩＣカードも挿入され、そのため、第２のＩＣカード用のコンタクトも、第１、第３のＩＣカード用コンタクトと同一面に設けられているのに対して、引用例１記載の発明では、そのような第２のカードはない点。
【相違点２】
　本願発明では、第３のカードは第１のカードより厚さが厚いものであり、そのため、挿入口が厚み方向にも延長されるのに対して、引用例１記載の発明では、第３のカードと第１のカードとの厚さについては特定されていない点。
【相違点３】
　本願発明では、第１、第２のＩＣカード用コンタクトの接触部分の位置を、第３のＩＣカードの挿入の妨げとならない高さにずらして形成したのに対して、引用例１記載の発明では、第１のＩＣカード用コンタクトと、第３のＩＣカード用コンタクトとの高さ関係については特定されていない点。
　
５．判断
　【相違点１】について
　引用例２記載の発明における「厚型一段カード１０」と「厚型二段カード２０」とは、長さ、幅、電極のピッチ間隔が略同じで、電極数が異なる２枚のＩＣカードであり、且つ、同じカードスロットに挿入されるものであるから、本願発明の「第１のＩＣカード」と「第２ののＩＣカード」とに相当するものである。
　即ち、引用例２には、同じスロット（挿入口)に、長さ、幅、電極のピッチ間隔が略同じで、電極数が異なる２枚のＩＣカードを挿入すること、又、該２枚のＩＣカードが同じコンタクト端子５０に接触すること、が記載されている。
　本願発明、引用例１記載の発明、引用例２記載の発明は、何れも、大きさや厚さ等の異なる複数種類（３種類）のＩＣカードを、同じ挿入口に挿入するコネクタに関するものであるところ、複数種類のＩＣカードにどのようなものを選択して、どのような組み合わせにするかは、当業者が適宜決定する設計事項であるから、引用例１記載の発明において、３種類のカードの内、２種類のカードを、引用例２記載の発明に倣って、長さ、幅、電極のピッチ間隔が略同じで、電極数が異なる２枚のＩＣカードとすることは、当業者が容易に想到し得ることと認められる。
　なお、その結果、３種類のＩＣカードのコンタクトが同一面に設けられるようになることは言うまでもない。
　
　【相違点２】について
　引用例１記載の発明においては、マルチメディアカード（第１のＩＣカード）とメモリスティックカード（第３のＩＣカード）との厚みについては、特定されていない。
　しかしながら、上記「相違点１について」において記載したように、同一のコネクタの同じ挿入口に挿入する複数種類のＩＣカードをどのようなものにするかは、当業者が適宜決定する設計事項であり、又、引用例２には、厚型一段、厚型二段、薄型カードというように、厚さの異なる３種類のＩＣカードを用いることも記載されているから、引用例１において、メモリスティックカード（第３のＩＣカード）をマルチメディアカード（第１のＩＣカード）より厚いものとすることに格別の困難性は認められず、厚いＩＣカードを採用した場合には、挿入口の形状を、カードの厚みに応じて延長することは、当業者が、当然に採用すべき技術事項であると認められる。
　
　【相違点３】について
　ＩＣカード用コネクタにおいて、ＩＣカード用コンタクトを、コネクタハウジング内の同一面に高さを同じにして前後に設けた場合、長さが長く厚さの厚いＩＣカードを挿入する時に、当該ＩＣカードが、手前側に設けられているコンタクトに当たり、コンタクトを変形させる等、問題が生じることは、当該技術分野における自明の課題であって、その課題解決のために、コンタクトが回避できる逃げ孔を設ける（引用例２における記載事項Ｏ参照）、或いは、コンタクトに緩い傾斜面を設ける等、様々な手段が講じられており、その手段の一つとして、前方のＩＣカード用コンタクトの接触部分の位置を、後方まで挿入されるＩＣカード（第３のＩＣカード）の挿入の妨げとならない高さにずらして形成する程度のことは、当業者が容易に想到し得ることと認められる。
　
　【作用効果】について
　本願発明の奏する作用効果についてみても、引用例１及び引用例２記載の発明の奏する作用効果から予測し得る程度のものであって、格別なものではない。
　
６．むすび
　したがって、本願発明は、引用例１及び２記載の発明に基づいて、当業者が容易に発明をすることができたものであるから、特許法第２９条第２項の規定により特許を受けることができない。
　よって、結論のとおり審決する。